(57)【要約】【課題】本発明はデータ入力装置、これを利用したデータ伝送システム及び方法に関する。【解決手段】本発明のデータ入力装置は、無線通信装置にデータを伝送するデータ伝送システムを構成するデータ入力装置において、ユーザによって入力が可能な入力手段及び入力によってデータ伝送装置の第１データを設定するためにデータ伝送装置と接続される接続部を含み、データ伝送システムは、データ伝送装置と無線通信装置との物理的接触に基づいて、データ伝送装置と無線通信装置が一定空間に共に存在するかどうかを識別し、その識別結果に応じて設定された第１データと関連する第２データを無線通信装置に表示し、第１データは無線通信装置がデータ伝送装置またはデータ入力装置が設置された位置に訪問したという訪問データを含む。【選択図】図１
2016519348.tif 000002
【特許請求の範囲】
【請求項１】
無線通信装置にデータを伝送するデータ伝送システムを構成するデータ入力装置において、
ユーザによって入力が可能な入力手段と、
前記入力によってデータ伝送装置に第１データを設定するために前記データ伝送装置と接続される接続部を含み、
前記データ伝送システムは、前記データ伝送装置と前記無線通信装置との物理的接触に基づいて、前記データ伝送装置と前記無線通信装置が一定空間に共に存在するかどうかを識別し、その識別結果に応じて設定された前記第１データと関連する第２データを前記無線通信装置に表示し、
前記第１データは前記無線通信装置が前記データ伝送装置または前記データ入力装置が設置された位置に訪問したという訪問データを含むデータ入力装置。
【請求項２】
前記データ伝送装置は、ボタン部と、前記ボタン部に接続されて前記無線通信装置のタッチスクリーンに電気的信号または物理的信号を入力できるタッチスクリーンタッチ部と、前記接続部と接続されるデータ端子とを含み、
前記データ伝送システムは、前記物理的接触以降に前記ボタン部が押されることが一定時間の範囲内で行われると、前記データ伝送装置と前記無線通信装置が一定空間に共に存在するかどうかを識別する請求項１に記載のデータ入力装置。
【請求項３】
前記データ伝送装置は、充電端子を含み、
前記接続部は前記充電端子と接続され、電源を供給する請求項１に記載のデータ入力装置。
【請求項４】
前記入力を表示する画像部をさらに含む請求項１に記載のデータ入力装置。
【請求項５】
前記入力手段は前記画像部のタッチによる入力手段である請求項４に記載のデータ入力装置。
【請求項６】
前記データ伝送装置は、第１データを設定する入力部をさらに含む請求項１に記載のデータ入力装置。
【請求項７】
前記第２データは、サービス利用者の訪問回数、訪問店舗の位置、注文内容、注文金額、訪問認証の模様の種類及び訪問認証の模様の個数のうち少なくとも一つを含む請求項１に記載のデータ入力装置。
【請求項８】
無線通信装置にデータを伝送するためのデータ伝送システムであって、
第１データを格納するデータ伝送装置と、
前記データ伝送装置と接続されて前記データ伝送装置の前記第１データを更新するデータ入力装置と、
前記無線通信装置及び前記データ伝送装置が一定の距離内であらかじめ設定した動きを満たすと、前記無線通信装置に前記第１データと関連する第２データを伝送するサーバを含み、
前記第１データは前記無線通信装置が前記データ伝送装置または前記データ入力装置が設置された位置に訪問したという訪問データを含む、データ伝送システム。
【請求項９】
前記あらかじめ設定した動きは、前記データ伝送装置と前記無線通信装置との物理的接触を含む請求項８に記載のデータ伝送システム。
【請求項１０】
無線通信装置にデータを伝送するためのデータ伝送方法において、
データ伝送装置に第１データが設定される（ａ）段階と、
前記データ伝送装置と前記無線通信装置との間の物理的接触によって発生したそれぞれの場所及び時間情報に基づいて前記データ伝送装置と前記無線通信装置が一定空間に共に存在するかどうかを識別する（ｂ）段階と、
前記（ｂ）段階の結果に応じて前記設定された第１データと関連する第２データが前記無線通信装置に表示される（ｃ）段階を含み、
前記第１データは前記無線通信装置が前記データ伝送装置が設置された位置に訪問したという訪問データを含む、データ伝送方法。
【請求項１１】
前記（ａ）段階は、
前記第１データがあらかじめ設定された前記データ伝送装置に第１データが再設定される段階を含む請求項１０に記載のデータ伝送方法。
【請求項１２】
前記（ｂ）段階は、
前記データ伝送装置の場所及び時間情報と前記無線通信装置の場所及び時間情報が一致するかどうかを判断する段階を含む請求項１１に記載のデータ伝送方法。
【請求項１３】
前記（ｂ）段階の結果に応じて前記設定された第１データと関連する第２データが電子装置に表示される段階をさらに含み、
前記電子装置は前記データ伝送装置と連動された電子装置またはサーバに認証手順を経て接続した電子装置である請求項１０に記載のデータ伝送方法。
【発明の詳細な説明】
【技術分野】
【０００１】
本発明はデータ入力装置、これを利用したデータ伝送システム及び方法に関する。
【背景技術】
【０００２】
従来にはサービス利用者がサービスを提供する店舗、例えば、飲食店、カフェなどを訪問したとき、あらかじめオフラインまたはオンラインを介して発給されたポイントカードなどを提示すると、累積訪問回数をチェックし、それに基づいてポイントを積立てたり、追加的なサービスを提供したりするなどの特典を提供した。
【０００３】
しかし、このような方法によれば、サービス利用者が各飲食店またはカフェごとにポイントカードを持参する必要があるため、非常に面倒であり、ポイントカードなどを持参できなかった場合は累積訪問回数をカウントできないという不便な点もあった。
【０００４】
このような問題点を解決するため、ポイントカードなどの代わりに最近急速に広く使われているスマートフォンを利用する方法が徐々に普及されつつある。例えば、店舗に設置されているＱＲコードをサービス利用者がスマートフォンで撮影することによって、サービス利用者が飲食店またはカフェなどを訪問したということをサーバに記録できる方法が開示されている。
【０００５】
しかし、このような方法によれば、サービス利用者が店舗に設置されているＱＲコードを撮影して店舗ではないところでも前記撮影しておいたＱＲコードで飲食店またはカフェなどを訪問したかのように認証できるという問題点がある。
【０００６】
このような問題点を解決するためにＧＰＳ情報を利用して実際の訪問有無を確認できる方法などが知られているが、このような方法によってもＧＰＳ情報の誤差範囲内で店舗の近所にいても店舗を訪問したかのように不正に認証が可能であるという問題点がある。
【０００７】
実際にサービス提供者またはサービスを提供する店舗を訪問していない場合も、不正に認証を行い、サービスについて評価をすることが可能であるという問題もある。
【０００８】
また、従来にはコーヒーショップ、美容室などのサービスを提供する店舗単位でポイントを積立てたため、実際にサービスを提供したサービス提供者、例えば、バリスタ、ヘアーデザイナーなどごとにポイントを積立てたりこれらのサービスについて評価したりできる方法はなかった。
【先行技術文献】
【特許文献】
【０００９】
【特許文献１】韓国公開特許第１０−２００４−００６３４２０号公報
【発明の概要】
【発明が解決しようとする課題】
【００１０】
本発明が解決しようとする課題は、前記説明した問題点を解決するために実際にサービス利用者がサービスを提供する店舗に訪問したということを保障できるようにするためのシステムのデータ伝送装置のデータを簡単に変換できるデータ入力装置を提供することにある。
【００１１】
本発明が解決しようとする他の課題は、前記説明した問題点を解決するために実際にサービス利用者がサービスを提供する店舗に訪問したということを保障できるようにするためのシステム及び方法を提供することにある。
【００１２】
また、本発明の他の課題は、サービスを提供する店舗単位だけではなく、個別のサービス提供者ごとにサービス利用者の累積使用回数に対する補償が可能であり、個別のサービス提供者に対するサービスを評価できる方法を提供することにある。
【００１３】
さらに、本発明のまた他の目的は、サービスに対する事後評価が実際にサービスを利用した利用者により行われることを保障することにある。
【００１４】
また、本発明のまた他の課題は、サービス利用者が特定サービス提供者によってサービスの提供を受けたことを確認できるシステムを提供することにある。
【００１５】
また、本発明のまた他の課題は、サービス利用者及びサービス提供者が新しいインターフェースを介してポイントを積立てる新しい体験を提供することにある。
【００１６】
さらに、サービス利用者がサービスを提供する店舗を訪問して提供を受けたサービスの種類及び支払った金額のようなその他データも共に確認できるようにし、単なるポイントの積立てだけではなく、顧客の消費パターンを分析するためのデータベースを構築する役割も可能な装置、システム及び方法を提供することにある。
【課題を解決するための手段】
【００１７】
前記課題を解決するための本発明の一実施形態によるデータ入力装置は、無線通信装置にデータを伝送するデータ伝送システムを構成するデータ入力装置において、ユーザによって入力が可能な入力手段と、前記入力によってデータ伝送装置に第１データを設定するために前記データ伝送装置と接続される接続部を含み、前記データ伝送システムは、前記データ伝送装置と無線通信装置との物理的接触に基づいて前記データ伝送装置と前記無線通信装置が一定空間に共に存在するかどうかを識別し、その識別結果に応じて前記設定された第１データと関連する第２データを前記無線通信装置に表示し、前記第１データは前記無線通信装置が前記データ伝送装置または前記データ入力装置が設置された位置に訪問したという訪問データを含む。
【００１８】
前記データ伝送装置は、ボタン部と、前記ボタン部に接続されて前記無線通信装置のタッチスクリーンに電気的信号または物理的信号を入力できるタッチスクリーンタッチ部と、前記接続部と接続されるデータ端子とを含み、前記データ伝送システムは、前記物理的接触の後に前記ボタン部が押されることが一定時間の範囲内で行われると、前記データ伝送装置と前記無線通信装置が一定空間に共に存在するかどうかを識別し得る。
【００１９】
前記データ伝送装置は、充電端子を含み、前記接続部は前記充電端子と接続され、電源を供給し得る。
【００２０】
ここで、前記入力を表示する画像部をさらに含み得る。
【００２１】
前記入力手段は前記画像部のタッチによる入力手段であり得る。
【００２２】
ここで、前記データ伝送装置は、第１データを設定する入力部をさらに含み得る。
【００２３】
前記第２データは、サービス利用者の訪問回数、訪問店舗の位置、注文内容、注文金額、訪問認証の模様の種類及び訪問認証の模様の個数のうち少なくとも一つを含み得る。
【００２４】
前記他の課題を解決するための本発明の他の実施形態によるデータ伝送システムは、無線通信装置にデータを伝送するためのデータ伝送システムであって、第１データを格納するデータ伝送装置と、前記データ伝送装置と接続されて前記データ伝送装置の前記第１データを更新するデータ入力装置と、前記無線通信装置及び前記データ伝送装置が一定の距離内であらかじめ設定した動きを満たすと、前記無線通信装置に前記第１データと関連する第２データを伝送するサーバを含み、前記第１データは前記無線通信装置が前記データ伝送装置または前記データ入力装置が設置された位置に訪問したという訪問データを含む。
【００２５】
前記あらかじめ設定した動きは、前記データ伝送装置と前記無線通信装置との物理的接触を含み得る。
【００２６】
前記他の課題を解決するための本発明の他の実施形態によるデータ伝送方法は、無線通信装置にデータを伝送するためのデータ伝送方法において、データ伝送装置に第１データが設定される（ａ）段階と、前記データ伝送装置と前記無線通信装置との間の物理的接触によって発生したそれぞれの場所及び時間情報に基づいて前記データ伝送装置と前記無線通信装置が一定空間に共に存在するかどうかを識別する（ｂ）段階と、前記（ｂ）段階の結果に応じて前記設定された第１データと関連する第２データが前記無線通信装置に表示される（ｃ）段階を含み、前記第１データは前記無線通信装置が前記データ伝送装置が設置された位置に訪問したという訪問データを含む。
【００２７】
前記（ａ）段階は、前記第１データがあらかじめ設定された前記データ伝送装置に第１データが再設定される段階を含み得る。
【００２８】
前記（ｂ）段階は、前記データ伝送装置の場所及び時間情報と前記無線通信装置の場所及び時間情報が一致するかどうかを判断する段階を含み得る。
【００２９】
ここで、前記（ｂ）段階の結果に応じて前記設定された第１データと関連する第２データが前記データ伝送装置と連動された電子装置に表示される段階をさらに含み、前記電子装置は前記データ伝送装置と連動された電子装置または前記サーバに認証手順を経て接続した電子装置であり得る。
【００３０】
その他実施形態の具体的な内容は詳細な説明及び図面に含まれている。
【発明の効果】
【００３１】
このような本願発明の構成によれば、実際にサービス利用者がサービスを提供する店舗に訪問したことを確認することができ、これによってサービス利用者に多様な特典を提供することができる。
【００３２】
また、実際にサービスを提供する店舗を訪問しなくても虚偽によって認証した後、サービスに対する評価を作成することも防止することができる。
【００３３】
また、サービスを提供する店舗単位ではなく、個別のサービス提供者ごとにサービス利用者の累積使用回数に対する補償が可能であり、個別のサービス提供者に対するサービスを評価することができる。
【００３４】
また、サービス利用者及びサービス提供者が新しいインターフェースを介してポイントを積立てる新しい経験を提供することができる。
【００３５】
さらに、訪問した顧客が利用したサービス、メニュー及び支払った金額などを同時に確認することができるため、顧客の性向を分析することに活用することができる。
【００３６】
前述した目的及び関連する目的を達成するために、一つ以上の実施形態について以下で説明し、特に請求項により特定される特徴を含む。以下の説明及び関連する図面はこのような実施例の例示的な実施形態についてより詳細に説明する。このような実施形態は単に一例に過ぎず、多様に変更できることは当業者であれば理解できるであろう。また、提示された実施形態はこのような実施形態及びこのような実施形態の均等物のすべてを含むと解釈される。
【図面の簡単な説明】
【００３７】
【図１】本発明の第１実施形態によるデータ伝送システムの構造を示す概念図である。
【図２】図１のデータ伝送装置の細部を説明するための斜視図である。
【図３】図２の保護部の細部を説明するための拡大側面図である。
【図４】図１のデータ伝送装置の細部を説明するための底面図である。
【図５】図１のデータ入力装置の細部を説明するための斜視図である。
【図６】図５の接続部の細部を説明するための平面図である。
【図７】図１のデータ伝送装置と無線通信装置の物理的接触を説明するための側面図である。
【図８】図１の無線通信装置に訪問認証の模様が表示された模様の例示図である。
【図９】図１の無線通信装置に訪問認証の模様が表示された模様の例示図である。
【図１０】本発明の第２実施形態によるデータ伝送システムの構造を示す概念図である。
【図１１】本発明の一実施形態によるデータ伝送方法を説明するための順序図である。
【発明を実施するための形態】
【００３８】
本発明の利点及び特徴、これらを達成する方法は添付する図面と共に詳細に後述する実施形態において明確になるであろう。しかし、本発明は、以下で開示する実施形態に限定されるものではなく、互いに異なる多様な形態で実現されるものであり、本実施形態は、単に本発明の開示を完全にし、本発明が属する技術分野で通常の知識を有する者に発明の範疇を完全に知らせるために提供されるものであり、本発明は、請求項の範囲によってのみ定義される。明細書全体にわたって同一の参照符号は同一の構成要素を指称する。
【００３９】
第１、第２などが多様な素子、構成要素を叙述するために使用されるが、これら素子、構成要素はこれらの用語によって制限されないことはいうまでもない。これらの用語は、単に一つ構成要素を他の素子、構成要素、またはセクションと区別するために使用するものである。したがって、以下で言及される第１素子、第１構成要素または第１セクションは本発明の技術的思想内で第２素子、第２構成要素または第２セクションであり得ることは勿論である。
【００４０】
素子（ｅｌｅｍｅｎｔｓ）または層が他の素子または層の「上（ｏｎ）」と指称された場合、他の素子の真上にまたは中間に他の層または他の素子を介在する場合のすべてを含む。反面、素子が「直接の上（ｄｉｒｅｃｔｌｙ  ｏｎ）」または「真上」と指称される場合は、中間に他の素子または層を介在しないことを示す。
【００４１】
空間的に相対的な用語である「下（ｂｅｌｏｗ）」、「下（ｂｅｎｅａｔｈ）」、「下部（ｌｏｗｅｒ）」、「上（ａｂｏｖｅ）」、「上部（ｕｐｐｅｒ）」などは図面に図示するように一つの素子または構成要素と異なる素子または構成要素との相関関係を容易に記述するために使用され得る。空間的に相対的な用語は、図面に図示する方向に加え、使用時または動作時の素子の互いに異なる方向を含む用語として理解しなければならない。例えば、図面に図示する素子をひっくり返す場合、他の素子の「下（ｂｅｌｏｗ）」または「下（ｂｅｎｅａｔｈ）」と記述された素子は他の素子の「上（ａｂｏｖｅ）」に置かれる。したがって、例示的な用語である「下」は下と上の方向をすべて含み得る。素子は他の方向にも配向されることができ、これにより空間的に相対的な用語は配向により解釈される。
【００４２】
本明細書で使用された用語は実施形態を説明するためであり、本発明を制限しようとするものではない。本明細書で、単数型は特に言及しない限り複数型も含む。明細書で使用される「含む（ｃｏｍｐｒｉｓｅｓ）」および／または「含む（ｃｏｍｐｒｉｓｉｎｇ）」は言及された構成要素、段階、動作および／または素子は一つ以上の他の構成要素、段階、動作および／または素子の存在または追加を排除しない。
【００４３】
他に定義されなければ、本明細書で使用されるすべての用語（技術および科学的用語を含む）は、本発明が属する技術分野で通常の知識を有する者が共通に理解できる意味として使用され得る。また一般に使用される辞典に定義されている用語は明白に特別に定義されていない限り理想的にまたは過度に解釈しない。
【００４４】
以下、図１を参照して本発明の一実施形態によるデータ伝送システムについて説明する。
【００４５】
図１は、本発明の第１実施形態によるデータ伝送システムの構造を示す概念図である。
【００４６】
図１を参照すると、本発明の第１実施形態によるデータ伝送システム１は、無線通信装置５００、データ伝送装置３００、データ入力装置４００、電子装置２００及びサーバ１００を含む。
【００４７】
無線通信装置５００は無線通信ができる装置であり得る。無線通信装置５００は、位置、加速、動きなどを感知できるＧＰＳセンサ、ジャイロセンサ、加速度センサ、動作認識センサなどを含むＰＯＳ端末、スマートフォン、スマートパッド、コンピュータなどを含み得るが、これに制限されない。
【００４８】
無線通信装置５００はサーバ１００と接続できるすべての形態のコンピュータプログラムがインストールされている。前記電子装置がスマートフォンまたはスマートパッドである場合はアプリケーションがインストールされている。
【００４９】
無線通信装置５００は物理的接触を感知できるセンサを含み得る。前記「物理的接触」とは、単に物体が接することに制限されない。すなわち、無線通信装置５００の一面と他の物体の一面が接しなくても相互作用が起こる場合は物理的接触が起こったと定義する。したがって、バーコード認識やＱＲコード認識のように互いに接しないセンシング動作なども物理的接触に含まれる。すなわち、一定間隔が維持された状態で起こる電気的、オプティカル（ｏｐｔｉｃａｌ）相互作用も物理的接触と定義する。
【００５０】
無線通信装置５００はデータ伝送装置３００との物理的接触によってサーバ１００に現在時間（ｔｉｍｅ）及び現在場所（ｌｏｃａｔｉｏｎ）のデータを伝送し得る。
【００５１】
無線通信装置５００はスクリーンを含み得る。前記スクリーンは無線通信装置５００のコンテンツを表示し得る。無線通信装置５００は前記スクリーンを介してサーバ１００から伝送されたデータを表示し得る。
【００５２】
データ伝送装置３００は無線通信装置５００と物理的接触をし得る。前記「物理的接触」とは、単に物体が接することに制限されない。すなわち、無線通信装置５００の一面と他の物体の一面が接しなくても相互作用が起こる場合は物理的接触が起こったと定義する。したがって、バーコード認識やＱＲコード認識のように互いに接しないセンシング動作なども物理的接触に含まれる。すなわち、一定間隔が維持された状態で起こる電気的、オプティカル（ｏｐｔｉｃａｌ）相互作用も物理的接触と定義する。
【００５３】
データ伝送装置３００は無線通信装置５００が感知できる方式で無線通信装置５００に信号を印加し得る。前記信号印加は前記物理的接触に含まれる。データ伝送装置３００は前記物理的接触によって電子装置２００に第１データを伝送し得る。
【００５４】
第１データは数字または文字形式のキー（ｋｅｙ）値であり得る。第１データは後にこれと関連する第２データに変換され得る。第１データは現在時間及び現在場所のデータに変換され得るデータであり得る。データ伝送装置３００は一定の場所の範囲内で移動が制限され得るため、前記現在場所のデータに変換され得るデータはあらかじめ設定したデータ伝送装置３００のＩＤであり得る。ただし、これに制限されない。
【００５５】
データ入力装置４００はデータ伝送装置３００にデータを入力することができる。具体的にはデータ入力装置４００は第１データを設定することができる。データ伝送装置３００に第１データが設定されていなければ、データ入力装置４００が第１データを設定することができる。データ伝送装置３００に第１データが既に設定されている場合、データ入力装置４００が第１データを再設定することができる。
【００５６】
電子装置２００はデータ入力装置４００から第１データの伝送を受け得る。電子装置２００は、位置、加速、動きなどを感知できるＧＰＳセンサ、ジャイロセンサ、加速度センサ、動作認識センサなどを含むＰＯＳ端末、スマートフォン、スマートパッド、コンピュータなどを含み得るが、これに制限されない。電子装置２００は無線通信機能を含み得る。電子装置２００は第１データの伝送を受けて第２データに変換することができる。第２データは第１データと関連するデータであり得る。第２データは第１データに対応するデータであり得る。第２データは、例えば、サービス利用者の訪問回数、訪問店舗の位置、注文内容、注文金額、訪問認証の模様の種類及び訪問認証の模様の個数であり得る。
【００５７】
前記第１データの伝送を受ける方式は近距離無線通信であり得る。例えば、ブルートゥース（ｂｌｕｅｔｏｏｔｈ）またはＲＦ（Ｒａｄｉｏ  Ｆｒｅｑｕｅｎｃｙ）を利用した通信方法であり得る。ただし、これに制限されない。
【００５８】
電子装置２００は前記第２データをサーバ１００に伝送し得る。ただし、これに制限されない。電子装置２００は第１データをサーバ１００に伝送し、サーバ１００が第１データを第２データに変換し得る。
【００５９】
サーバ１００は無線または有線通信を介してデータの伝送を受け得る。サーバ１００は電子装置２００から第１データの伝送を受けて第２データに変換し得る。またはサーバ１００は電子装置２００から第２データの伝送を受け得る。サーバ１００は前記第２データに含まれた時間及び場所データと無線通信装置５００が伝送した時間及び場所データを比較及び識別し得る。
【００６０】
サーバ１００は前記それぞれの時間及び場所データが同一であるかを判断し得る。前記「同一」とは、完全な同一ではなく微細な差を含む概念である。すなわち、同一時間とは、あらかじめ設定した時間間隔の範囲内の時間を意味し、同一場所とは、場所の距離があらかじめ設定した距離間隔の範囲内の距離であることを意味する。
【００６１】
サーバ１００は前記判断によりそれぞれのデータが同一であると判断すると、前記第２データを無線通信装置５００及び電子装置２００に伝送し得る。前記無線通信装置５００及び電子装置２００はサーバ１００から第２データを受信し得る。無線通信装置５００及び電子装置２００は第２データを表示し得る。
【００６２】
サーバ１００が第２データを電子装置２００に伝送する場合、第２データに無線通信装置５００のユーザに対する情報が含まれ得る。サーバ１００は無線通信装置５００の機器識別またはユーザログインなどにより無線通信装置５００のユーザを識別することができる。電子装置２００は前記ユーザが識別される第２データの伝送を受け、前記ユーザ、すなわち訪問者を識別できる訪問認証の模様を表示し得る。
【００６３】
サーバ１００は電子装置２００の第１または第２データの伝送を受けることに対応し、前記第２データを電子装置２００に提供し得る。この場合は、電子装置２００によるログイン手続などを経る必要がない。もちろん、サーバ１００は電子装置２００を介してサービス提供者がログインなどのＩＤ識別手順を経てサーバ１００に接続した場合も、前記第２データを電子装置２００に提供し得る。
【００６４】
前記情報は第２データに含まれてサーバ１００にも格納され得る。このような第２データは訪問者ごとにデータを蓄積し、顧客の消費性向を把握するデータとして後に使用することができる。
【００６５】
以下、図２ないし図４を参照してデータ伝送装置について説明する。
【００６６】
図２は、図１のデータ伝送装置の細部を説明するための斜視図であり、図３は、図２の保護部の細部を説明するための拡大側面図である。図４は、図１のデータ伝送装置の細部を説明するための底面図である。
【００６７】
図２を参照すると、データ伝送装置３００は、取手部３１０、ボタン部３２０、保護部３３０、タッチスクリーンタッチ部３４０及び電子装置接続部３５０を含む。
【００６８】
取手部３１０は特に制限されないが、手で握れる柱の形状であり得る。例えば取手部３１０は円柱の形状であり得る。ただし、これに制限されない。取手部３１０はデータ伝送装置２００を手で握ってボタン部３２０を押すことができるようにする。
【００６９】
取手部３１０は例えば、導電性材質からなる。したがって、取手部３１０を手で握ったとき、手からの電気的信号が伝送され得る。前記電気的信号はボタン部３２０及びタッチスクリーンタッチ部３４０を介して流れる。前記電気的信号は無線通信装置５００が静電式タッチスクリーンを含む場合、前記タッチスクリーンに伝達され得る。仮に、無線通信装置５００が感圧式タッチスクリーンを含む場合は、データ伝送装置３００は前記電気的信号の代りに物理的信号を伝達し得る。この場合、取手部３１０は導電性材質に限定する必要はない。ただし、これに制限されない。
【００７０】
また、無線通信装置５００が静電式タッチスクリーンを含む場合にも、取手部３１０は導電性材質からならない場合もある。取手部３１０が導電性材質からならない場合、タッチスクリーンタッチ部３４０は他の方式によって電気的信号を生成することができる。具体的には、データ伝送装置３００の内部バッテリーによる電流またはデータ伝送装置３００が接続された電子装置２００の電流を利用して電気的信号を生成することができる。この場合、ユーザはデータ伝送装置３００を素手ではない手袋をはめた手でも使用することができる。
【００７１】
データ伝送装置３００は無線通信装置５００が感圧式タッチスクリーンを含む場合は電気的信号の代わりに圧力による物理的信号を伝送し得る。このような場合には前述した電流の利用は必要ない。
【００７２】
電子装置接続部３５０はデータ伝送装置３００を電子装置２００に接続し得る。電子装置接続部３５０はデータ伝送装置３００を電子装置２００に接続する有線形式の端部であり得る。または、電子装置接続部３５０は近距離無線通信などを利用して無線接続するための分離されたパートの形態であり得る。
【００７３】
電子装置接続部３５０が有線である場合、取手部３１０が導電性材質ではなくても電子装置接続部３５０を介して外部電流の供給を受け得る。すなわち、静電式タッチスクリーンに対して電気的信号を生成するとき、電子装置接続部３５０を介した電流を利用し得る。一方、電子装置接続部３５０が無線である場合もデータ伝送装置３００内のバッテリーで生成された電流を利用して前記電気的信号を生成し得る。
【００７４】
ボタン部３２０は圧力によって押される。押されたボタン部３２０は復原力によって再び元の状態に戻れる。ボタン部３２０は図面に示すように、取手部３１０及びタッチスクリーンタッチ部３４０と一体型であり得る。ただし、これに制限されない。
【００７５】
ボタン部３２０が押されると、データ伝送装置３００は第１データを電子装置２００に伝送し得る。すなわち、ボタン部３２０が押されたことが第１データの伝送のトリガー（ｔｒｉｇｇｅｒ）の役割を果たす。ボタン部３２０が押されることは無線通信装置５００のスクリーンにデータ伝送装置３００をスタンプのように押す方式であり得る。したがって、ユーザは紙クーポンにスタンプを押すように無線通信装置５００にスタンプを押すことを体験することができる。
【００７６】
タッチスクリーンタッチ部３４０は物理的接触によって電気的信号を無線通信装置５００に伝達し得る。前記「物理的接触」とは、単に物体が接することに制限されない。すなわち、無線通信装置５００の一面と他の物体の一面が接しなくても相互作用が起こる場合は物理的接触が起こったと定義する。したがって、バーコード認識やＱＲコード認識のように互いに接しないセンシング動作なども物理的接触に含まれる。すなわち、一定間隔が維持された状態で起こる電気的、オプティカル（ｏｐｔｉｃａｌ）相互作用も物理的接触と定義する。
【００７７】
タッチスクリーンタッチ部３４０は取手部３１０が導電性材質である場合、手から流れる電流または電子装置接続部３５０を介して流れる電流を利用した電気的信号を無線通信装置５００のタッチスクリーンに印加し得る。
【００７８】
または、タッチスクリーンタッチ部３４０がスイッチの形で突出し、物理的接触によって押されつつデータ伝送装置３００またはデータ伝送装置３００と接続された電子装置２００の電気的または物理的信号を伝達し得る。このような方式は、無線通信装置５００のタッチスクリーンの静電式または感圧式を問わず信号を伝達し得る。
【００７９】
無線通信装置５００は前記電気的信号の伝達を受けると、センサによって感知された現在場所及び時間のデータをサーバ１００に伝送し得る。すなわち、前記電気的信号は、無線通信装置５００が現在場所及び時間のデータをサーバ１００に伝送するトリガー（ｔｒｉｇｇｅｒ）の役割を果たす。
【００８０】
タッチスクリーンタッチ部３４０は光センサまたは特定センサを含むこともできる。したがって、タッチスクリーンタッチ部３４０は無線通信装置５００が提供する特定の光または動作に反応し、ボタン部３２０の代わりにデータ伝送装置３００が第１データを伝送するトリガー（ｔｒｉｇｇｅｒ）の役割を果たすこともできる。すなわち、特別な制限がなく、物理的接触に対して反応する場合は、データ伝送装置３００は現在場所及び時間データをサーバ１００に伝送し得る。
【００８１】
タッチスクリーンタッチ部３４０は図面に示すように複数からなる。ただし、３つで示しているが、これは例示に過ぎず、個数の制限はない。
【００８２】
保護部３３０はタッチスクリーンタッチ部３４０を保護するためにタッチスクリーンタッチ部３４０を囲む。保護部３３０はタッチスクリーンタッチ部３４０に意図しない電流が流れることを防止するために絶縁体からなる。ただし、保護部３３０は充電端子３３１及びデータ端子３３３を含み得る。保護部３３０は充電端子３３１及びデータ端子３３３が露出した部分には導電体からなる。
【００８３】
図３を参照すると、保護部３３０は第１絶縁層３３０ａ、第２絶縁層３３０ｃ及び端子層３３０ｂを含む。
【００８４】
絶縁層３３０は第１絶縁層３３０ａ及び第２絶縁層３３０ｃを含み得る。第１絶縁層３３０ａは端子層３３０ｂの上部に存在し、第２絶縁層３３０ｃは端子層３３０ｂの下部に存在し得る。すなわち、第１絶縁層３３０ａと第２絶縁層３３０ｃとの間に端子層３３０ｂが存在し得る。絶縁層３３０は絶縁体で形成され得る。
【００８５】
端子層３３０ｂは、充電端子３３１、データ端子３３３及び絶縁部分３３５を含む。
【００８６】
充電端子３３１はデータ入力装置４００の充電部４３１と接続され、データ伝送装置３００の電源を供給し得る。充電端子３３１は２個の端子が端子層３３０ｂに分離されて形成される。
【００８７】
図４を参照すると、充電端子３３１は２つに分離されて対向するように形成され得る。ただし、これに制限されない。充電端子３３１は保護部３３０の外面に該当する部分のみ露出し得る。充電端子３３１の露出する部分以外は、絶縁部分３３５により囲まれる。
【００８８】
再び、図３を参照すると、データ端子３３３はデータ入力装置４００のデータ部４３３に接続され、データ伝送装置３００の第１データを設定し得る。データ端子３３３は２つの端子が端子層３３０ｂに分離されて形成され得る。
【００８９】
再び、図４を参照すると、データ端子３３３は２つに分離されて対向するように形成され得る。ただし、これは単に例示に過ぎず、データ端子３３３の個数は制限されない。データ端子３３３は保護部３３０の外面に該当する部分のみ露出し得る。データ端子３３３は露出する部分の他には絶縁部分３３５により囲まれる。データ端子３３３は充電端子３３１を９０度回転した位置に形成されるが、これに制限されない。
【００９０】
以下、図５及び図６を参照してデータ入力装置について説明する。
【００９１】
図５を参照すると、データ入力装置４００は、入力手段４１０、画像部４２０、接続部４３０及び供給部４４０を含む。
【００９２】
入力手段４１０はデータ入力装置４００上に設置され、位置及び形状は制限されない。入力手段４１０はキーパッドの形状であってもよく、タッチパネル上の仮想キーボードであってもよい。すなわち、入力手段４１０は入力が可能な手段であれば、いかなる制限もない。例えば、入力手段４１０はキーボード、マウス、タッチパッド、タッチスクリーン及びタッチパネルの仮想入力手段などを含み得る。
【００９３】
入力手段４１０によってユーザは入力が可能であり、前記入力によってデータ伝送装置３００の第１データが設定され得る。
【００９４】
画像部４２０は入力手段４１０の入力を補助する。画像部４２０は入力手段４１０の入力を表示し、ユーザが確認できるようにする。画像部４２０は必須の部分ではないため、省略することも可能である。画像部４２０は入力手段４１０が含まれることもできる。すなわち、画像部４２０内に入力手段４１０が仮想入力手段の形で存在することもできる。
【００９５】
接続部４３０はデータ伝送装置３００と接続される部分であり得る。接続部４３０はデータ伝送装置３００が安着できる溝の形であり得る。ただし、これに制限されない。接続部４３０はデータ伝送装置３００の充電端子３３１及びデータ端子３３３と接続され得る。
【００９６】
図６を参照すると、接続部４３０は充電部４３１及びデータ部４３３を含む。
【００９７】
充電部４３１はデータ伝送装置３００の充電端子３３１と接触し得る。充電部４３１はデータ伝送装置３００に電源を供給する。充電部４３１は充電端子３３１と対応するように分離されて存在する。充電部４３１は充電端子３３１とかみ合う場合は形状及び位置に対していかなる制限もない。
【００９８】
データ部４３３はデータ伝送装置３００のデータ端子３３３と接触する。データ部４３３はデータ伝送装置３００に第１データを設定し得る。データ部４３３はデータ端子３３３と対応するように分離されて存在する。データ部４３３はデータ端子３３３とかみ合う場合は形状及び位置に対していかなる制限もない。データ部４３３は充電部４３１を９０度回転した位置に形成され得るが、これに制限されない。
【００９９】
再び、図５を参照すると、供給部４４０はデータ入力装置４００に電源を供給する。また、供給部４４０は他の電子装置と接続され、データ入力装置４００内のデータを設定する。
【０１００】
データ入力装置４００の機能はデータ伝送装置３００に統合され得る。すなわち、データ伝送装置３００が第１データを設定する入力部をさらに含む場合、データ入力装置４００を省略することができる。入力部はデータ伝送装置３００上に形成され、入力が可能なものであれば、いかなる形状でもよい。入力部がデータ伝送装置３００に含まれる場合にも、データ入力装置４００が存在し得る。この場合、第１データはデータ入力装置４００、電子装置２００または入力部によって設定され得る。
【０１０１】
以下、図７を参照してデータ伝送装置及び無線通信装置の物理的接触について説明する。
【０１０２】
図７は、図１のデータ伝送装置と無線通信装置の物理的接触を説明するための側面図である。
【０１０３】
図７を参照すると、データ伝送装置３００は無線通信装置５００に物理的接触をする。前記「物理的接触」とは、単に物体が接することに制限されない。すなわち、無線通信装置５００の一面と他の物体の一面が接しなくても相互作用が起こる場合は物理的接触が起こったと定義する。したがって、バーコード認識やＱＲコード認識のように互いに接しないセンシング動作なども物理的接触に含まれ得る。すなわち、一定間隔が維持された状態で起こる電気的、オプティカル（ｏｐｔｉｃａｌ）相互作用も物理的接触と定義する。
【０１０４】
物理的接触は、例えば、無線通信装置５００のタッチスクリーンにデータ伝送装置３００のタッチスクリーンタッチ部３４０がタッチされることであり得る。タッチスクリーンタッチ部３４０によって無線通信装置５００にあらかじめ設定した電気的信号が加わると、無線通信装置５００は現在場所及び現在時間データをサーバ１００に伝送し得る。
【０１０５】
データ伝送装置３００も物理的接触によって第１データを電子装置２００に伝送し得る。このような場合、タッチスクリーンタッチ部３４０が無線通信装置５００との物理的接触を感知しなければならない。
【０１０６】
また他の方式により物理的接触と同時にデータ伝送装置３００のボタン部３２０が押され得る。前記「同時」は、同一時刻ではなくてもあらかじめ決定された一定間隔の時間の範囲内を含む。データ伝送装置３００のボタン部３２０が、スタンプが押されるように押されると、データ伝送装置３００の第１データが電子装置２００に伝送され得る。前記第１データはボタン部３２０が押される現在時間及び現在場所に変換できるデータが含まれ得る。
【０１０７】
したがって、従来の紙クーポンに訪問を認証するスタンプを押すように、サービス利用者の無線通信装置５００に電子的なスタンプを押すことができる。すなわち、無線通信装置５００の現在時間及び現在場所データとデータ伝送装置３００のボタン部３２０が押されることによって伝送される現在時間及び現在場所が一致する場合は前記無線通信装置５００にサーバ１００が第２データを伝送し得る。
【０１０８】
以下、図８及び図９を参照して無線通信装置に表示される第２データについて説明する。
【０１０９】
図８及び図９は、図１の無線通信装置に訪問認証の模様が表示された模様の例示図である。
【０１１０】
図８を参照すると、前記第２データは無線通信装置５００がデータ伝送装置３００またはデータ入力装置４００が設置された場所に訪問したというデータを含み得る。したがって、第２データは訪問認証のための紙クーポンの形の画面で表示され得る。すなわち、紙クーポンのような画面上のクーポン５０１が表示され、前記画面上のクーポン５０１は複数のスタンプの押印ない欄を備える。複数のスタンプの押印ない欄に訪問回数に応じて訪問認証の模様（５０２ａ、５０２ｂ、５０２ｃ、…５０２ｊ）が表示される。
【０１１１】
図９を参照すると、１回訪問にも複数の訪問認証の模様を取得する場合を表示する。サービス提供者が提示した条件を満たす場合、１回訪問にも複数の訪問認証の模様が与えられる。例えば、支払い金額が一定金額以上である場合、特定メニューを注文する場合または特定時間帯に訪問する場合が、サービス提供者が提示した条件であり得る。
【０１１２】
データ入力装置４００によって前記複数の訪問認証の模様の個数を再設定することができる。また、これとは別に電子装置２００でも訪問認証の模様の個数を再設定することができる。
【０１１３】
データ入力装置４００は電子装置２００と同じ場所に設置され得る。ただし、データ入力装置４００は電子装置２００と同じ場所の他の位置に設置され得る。したがって、電子装置２００によってではなく簡単にデータ入力装置４００の操作だけで訪問認証の模様の個数を再設定することができる。
【０１１４】
データ入力装置４００及び電子装置２００は訪問認証の模様の個数だけでなく種類を変更することも可能である。また、これに応じて変換される第１データと関連する第２データはサービス利用者のＩＤ、サービス、ユーザの注文メニュー、注文金額、訪問時間及び支払い方法などのデータを含み、サーバ１００または電子装置２００に追加して格納または表示することができる。したがって、前記第２データを分析し、顧客の消費性向を分析することができ、今後のマーケティングや商品開発に使用することができる。
【０１１５】
以下、図１０を参照して本発明の第２実施形態によるデータ伝送システムについて説明する。前述した第１実施形態と重複する説明は簡略または省略する。
【０１１６】
図１０は、本発明の第２実施形態によるデータ伝送システムの構造を示す概念図である。
【０１１７】
図１０を参照すると、本発明の第２実施形態によるデータ伝送システムのデータ伝送装置３００は第１データをサーバ１００に直接伝送し得る。データ伝送装置３００は遠距離無線通信を利用し得る。前記遠距離無線通信は、例えばＡＰ（ａｃｅｓｓ  ｐｏｉｎｔ）を介するＷｉｆｉ方式であり得る。ただし、これに制限されない。
【０１１８】
第１データはサーバ１００から第２データに変換され得る。サーバ１００は第１または第２データに含まれた時間及び場所データと無線通信装置５００が伝送した現在時間及び現在場所データが同一であるかを識別し、同一である場合は第２データを無線通信装置５００に伝送し得る。
【０１１９】
サーバ１００は電子装置２００を介してサービス提供者がログインなどのＩＤ識別手順を経てサーバ１００に接続した場合、前記第２データを電子装置２００に提供し得る。前記第２データには無線通信装置５００のユーザに対する情報が含まれ得る。サーバ１００は無線通信装置５００の機器の識別またはユーザログインなどにより無線通信装置５００のユーザを識別することができる。電子装置２００は前記ユーザが識別される第２データの伝送を受け、前記ユーザ、すなわち訪問者を識別できる訪問認証の模様を表示することができる。
【０１２０】
前記情報は第２データに含まれてサーバ１００にも格納される。このような第２データは訪問者識別データを蓄積し、顧客の消費性向を把握するデータとして後に使用することができる。
【０１２１】
以下、図１及び図１１を参照して本発明の一実施形態によるデータ伝送方法について説明する。前述した第１及び第２実施形態と重複する部分の説明は簡略または省略する。
【０１２２】
図１１は、本発明の一実施形態によるデータ伝送方法を説明するための順序図である。
【０１２３】
図１１を参照すると、データ伝送装置に第１データを設定する（Ｓ１１００）。
【０１２４】
図１を参照すると、データ伝送装置３００に第１データが設定されていない場合、データ入力装置４００によって第１データが設定され得る。第１データは電子装置２００によっても設定され得る。すなわち、便宜に応じて電子装置２００またはデータ入力装置４００のうちいずれか一つを選択して第１データを設定することができる。前記「設定」は再設定を含む概念である。
【０１２５】
再び、図１１を参照すると、データ伝送装置及び無線通信装置が一定空間に共に存在するかどうかを識別する（Ｓ１１１０）。
【０１２６】
再び、図１を参照すると、無線通信装置５００はデータ伝送装置３００との物理的接触によって現在時間及び現在場所データを伝送し得る。データ伝送装置３００は物理的接触あるいはボタン部３２０が押されることによって第１データを伝送し得る。サーバ１００は前記第１データに関連する第２データが含む現在時間及び現在場所データを無線通信装置５００が伝送した現在時間及び現在場所データと同一であるかを識別することができる。前記「同一」は微細な時間間隔の範囲及び距離範囲の差を含む概念である。両データが同一でなければ、サーバ１００は第２データを無線通信装置５００及び電子装置２００に送信しなくてもよい。
【０１２７】
再び、図１１を参照すると、前記両データが同一である場合には、無線通信装置５００に第２データが伝送される（Ｓ１１２０）。
【０１２８】
再び、図１を参照すると、第２データは電子装置２００にも伝送され得る。第２データは訪問認証の模様で表示され得る。さらに、電子装置２００には、無線通信装置５００の機器識別またはサーバ上のログインにより訪問者を識別できる訪問認証の模様で表示される。前記情報は第２データに含まれ、サーバ１００にも格納され得る。このような第２データは訪問者別にデータを蓄積し、顧客の消費性向を把握するデータとして後に使用することができる。
【０１２９】
一つ以上の例示的な実施形態では、ここで提示した機能は、ハードウェア、ソフトウェア、ファームウェア、またはこれらの組合せにより具現される。ソフトウェアで具現される場合、前記機能はコンピュータで判読可能な媒体上に一つ以上の命令またはコードとして格納されたり、またはこれらにより伝送されたりし得る。コンピュータで判読可能な媒体はコンピュータ記憶媒体及びある場所から他の場所にコンピュータプログラムの移転を容易にするための任意の媒体を含む通信媒体を含む。格納媒体は、汎用コンピュータまたは特別なコンピュータによってアクセスされる任意の使用可能な媒体であり得る。例えば、このようなコンピュータで判読可能な媒体は、ＲＡＭ、ＲＯＭ、ＥＥＰＲＯＭ、ＣＤ−ＲＯＭまたは他の光ディスク記憶媒体、磁気ディスク記憶媒体または他の磁気記憶装置、または命令またはデータ構造の形態で要求されるプログラムコード手段を格納するのに使用され得、汎用コンピュータ、特別なコンピュータ、汎用プロセッサ、または特別なプロセッサによってアクセスされる任意の使用可能な他の媒体を含むが、これらに制限されない。また、任意の接続手段がコンピュータで判読可能な媒体として見なされ得る。例えば、ソフトウェアがウェブサイト、サーバ、または他の遠隔ソースから同軸ケーブル、光フィーバーケーブル、ツイストペア、デジタル加入者線（ＤＳＬ）、または赤外線ラジオ、およびマイクロウエーブのような無線技術により伝送される場合、このような同軸ケーブル、光フィーバーケーブル、ツイストペア、ＤＳＬ、または赤外線ラジオ、およびマイクロウエーブのような無線技術がこのような媒体の定義内に含まれ得る。ここで使用されるディスク（ｄｉｓｋ）及びディスク（ｄｉｓｃ）は、コンパクトディスク（ＣＤ、ｃｏｍｐａｃｔ  ｄｉｓｃ）、レーザーディスク（ｌａｓｅｒ  ｄｉｓｃ）（登録商標）、光ディスク（ｏｐｔｉｃａｌ  ｄｉｓｃ）、ＤＶＤ（登録商標）、フロッピーディスク（ｆｌｏｐｐｙ  ｄｉｓｋ）（登録商標）、およびブルーレイディスク（Ｂｌｕ−ｒａｙ  Ｄｉｓｃ）（登録商標）を含み、ここでディスク（ｄｉｓｋ）はデータを磁気的に再生するが、ディスク（ｄｉｓｃ）はレーザにより光学的にデータを再生する。前記組合せもコンピュータで判読可能な媒体の範囲内に含まれ得る。
【０１３０】
また、サーバ、端末機など間でのデータ通信はすべての近距離及び長距離の通信手段により行われ得る。
【０１３１】
以上、添付する図面を参照して本発明の実施形態について説明したが、本発明が属する技術分野における通常の知識を有する者は、本発明のその技術的思想や必修的な特徴を変更せず、他の具体的な形態で実施できることを理解できるであろう。したがって、以上で技術した実施形態はすべての面において例示的なものであり、限定的なものではないと理解しなければならない。
【図１】
2016519348.tif 000003
【図２】
2016519348.tif 000004
【図３】
2016519348.tif 000005
【図４】
2016519348.tif 000006
【図５】
2016519348.tif 000007
【図６】
2016519348.tif 000008
【図７】
2016519348.tif 000009
【図８】
2016519348.tif 000010
【図９】
2016519348.tif 000011
【図１０】
2016519348.tif 000012
【図１１】
2016519348.tif 000013
【国際調査報告】
2016519348.tif 000014
2016519348.tif 000015
2016519348.tif 000016
2016519348.tif 000017